(57)【特許請求の範囲】
【請求項１】
コンテナ船の船首構造であって、
上甲板の縁部に略垂直に配置された風防体を備え、
前記風防体の高さは、前記コンテナ船の平均コンテナ積載高さに対する比率が０．１８〜０．６５の範囲に設定されている、
ことを特徴とするコンテナ船の船首構造。
【請求項２】
前記風防体の高さは、前記コンテナ船の平均コンテナ積載高さに対する比率が０．３５〜０．５５の範囲に設定されている、請求項１に記載の船首構造。
【請求項３】
前記風防体は、係船装置の索体を挿通可能な開口部を備える、請求項１に記載のコンテナ船の船首構造。
【請求項４】
前記風防体は、左舷側から右舷側に渡って略一定の高さを有している、請求項１に記載のコンテナ船の船首構造。
【請求項５】
前記上甲板の前記風防体により囲まれた部分に追加コンテナを積載可能な支持部を備える、請求項１に記載のコンテナ船の船首構造。
【請求項６】
前記追加コンテナの積載高さは、貨物区に配置された最前部のコンテナ積載高さを超えないように設定されている、請求項５に記載のコンテナ船の船首構造。
【請求項７】
前記追加コンテナの積載高さは、前記風防体の高さに対する比率が１．７以下に設定されている、請求項５に記載のコンテナ船の船首構造。
【請求項８】
請求項１〜７の何れか一項に記載の船首構造を備えた、ことを特徴とするコンテナ船。
【請求項９】
コンテナ船の船首構造の設計方法であって、
前記コンテナ船は、上甲板の縁部に略垂直に配置された風防体を備え、
風向を進行方向に対して±１０〜±６０°の範囲に設定し、
前記コンテナ船の満載状態及び半載状態の風圧抵抗の低減率を計算し、
前記低減率を参照して前記風防体の高さを設定するようにした、
ことを特徴とするコンテナ船の船首構造の設計方法。
【請求項１０】
前記コンテナ船の平均コンテナ積載高さを算出し、前記風防体の高さを前記平均コンテナ積載高さに対する比率により設定するようにした、請求項９に記載のコンテナ船の船首構造の設計方法。
【発明の詳細な説明】
【技術分野】
【０００１】
本発明は、コンテナ船の船首構造、コンテナ船及びコンテナ船の船首構造の設計方法に関し、特に、コンテナ船の風圧抵抗の低減を図ることができる、コンテナ船の船首構造、コンテナ船及びコンテナ船の船首構造の設計方法に関する。
【背景技術】
【０００２】
コンテナ船は、上甲板よりも上方に複数のコンテナが積載されることから、積層されたコンテナにより壁が形成され、他の船舶と比較して航行時における風圧抵抗が高くなりやすい。そこで、コンテナ船の船首部に風防構造を配置して、風圧抵抗を低減するための方法が種々提案されている。
【０００３】
例えば、特許文献１には、コンテナ船のブルワーク上に配設する風防であって、ブルワークの頂部から垂直に立ち上がると共に上縁が前端から後端へ向けて斜め上方に延在する周側壁と、前記周側壁上縁に沿って且つ上面視で前記周側壁上縁の内側で前記周側壁上縁の全長に亙って延在する所定幅の頂壁と、を備えることを特徴とするコンテナ船の船首部風防が開示されている。
【先行技術文献】
【特許文献】
【０００４】
【特許文献１】特開２０１５−１４５２１４号公報
【発明の概要】
【発明が解決しようとする課題】
【０００５】
しかしながら、特許文献１に記載された発明のように、最前列に積載されたコンテナの前面の全体を覆うように風防構造を形成した場合には、風防構造が大型化及び重量化しやすく、コンテナ積載効率及び燃費の低下を誘引することとなる。
【０００６】
本発明はかかる問題点に鑑み創案されたものであり、風圧抵抗を低減しつつ風防構造の小型化及び軽量化を図ることができる、コンテナ船の船首構造、コンテナ船及びコンテナ船の船首構造の設計方法を提供することを目的とする。
【課題を解決するための手段】
【０００９】
また、本発明によれば、コンテナ船の船首構造であって、上甲板の縁部に略垂直に配置された風防体を備え、前記風防体の高さは、前記コンテナ船の平均コンテナ積載高さに対する比率が０．１８〜０．６５の範囲に設定されている、ことを特徴とするコンテナ船の船首構造が提供される。
【００１０】
前記風防体の高さは、前記コンテナ船の平均コンテナ積載高さに対する比率が０．３５〜０．５５の範囲に設定されていてもよい。
【００１１】
前記風防体は、係船装置の索体を挿通可能な開口部を備えていてもよい。
【００１２】
前記風防体は、左舷側から右舷側に渡って略一定の高さを有していてもよい。
【００１３】
前記上甲板の前記風防体により囲まれた部分に追加コンテナを積載可能な支持部を備えていてもよい。
【００１４】
また、前記追加コンテナの積載高さは、貨物区に配置された最前部のコンテナ積載高さを超えないように設定されていてもよい。
【００１５】
また、前記追加コンテナの積載高さは、前記風防体の高さに対する比率が１．７以下に設定されていてもよい。
【００１６】
また、本発明によれば、上述した船首構造を備えたことを特徴とするコンテナ船が提供される。
【００１７】
また、本発明によれば、コンテナ船の船首構造の設計方法であって、前記コンテナ船は、上甲板の縁部に略垂直に配置された風防体を備え、風向を進行方向に対して±１０〜±６０°の範囲に設定し、前記コンテナ船の満載状態及び半載状態の風圧抵抗の低減率を計算し、前記低減率を参照して前記風防体の高さを設定するようにした、ことを特徴とするコンテナ船の船首構造の設計方法が提供される。
【００１８】
前記設計方法は、前記コンテナ船の平均コンテナ積載高さを算出し、前記風防体の高さを前記平均コンテナ積載高さに対する比率により設定するようにしてもよい。
【発明の効果】
【００１９】
上述した本発明に係るコンテナ船の船首構造、コンテナ船及びコンテナ船の船首構造の設計方法によれば、コンテナの積載状態及び風向を考慮して、風防体の高さを設定したことにより、風圧抵抗を低減しつつ風防構造の小型化及び軽量化を図ることができる。
【図面の簡単な説明】
【００２０】
【図１】本発明の第一実施形態に係るコンテナ船の一部を示す側面図である。
【図２】図１に示したコンテナ船の船首部を示す図であり、（Ａ）は側面図、（Ｂ）は平面図、である。
【図３】風圧抵抗の解析結果を示す分布図であり、（Ａ）は風向０°の場合、（Ｂ）は風向３０°の場合、を示している。
【図４】風防体の高さに関する解析結果を示す図であり、（Ａ）は風防体の高さと風圧抵抗の低減率との関係、（Ｂ）はＨｗ／Ｈｃと風圧抵抗の低減率との関係、を示している。
【図５】本発明の第二実施形態に係るコンテナ船の一部を示す側面図である。
【図６】図５に示したコンテナ船の船首部を示す図であり、（Ａ）は側面図、（Ｂ）は図６（Ａ）におけるＢ矢視断面図、（Ｃ）は図６（Ａ）におけるＣ矢視断面図、である。
【図７】図５に示したコンテナ船の変形例を示す図であり、（Ａ）は側面図、（Ｂ）は平面図、である。
【図８】追加コンテナの積載高さに関する解析結果を示す図であり、（Ａ）は追加コンテナの積載高さと風圧抵抗の低減率との関係、（Ｂ）はＨｘ／Ｈｂと風圧抵抗の低減率との関係、（Ｃ）はＨｘ／Ｈｗと風圧抵抗の低減率との関係、を示している。
【発明を実施するための形態】
【００２１】
以下、本発明の実施形態について図１〜図８（Ｃ）を用いて説明する。ここで、図１は、本発明の第一実施形態に係るコンテナ船の一部を示す側面図である。図２は、図１に示したコンテナ船の船首部を示す図であり、（Ａ）は側面図、（Ｂ）は平面図、である。
【００２２】
本発明の第一実施形態に係るコンテナ船１は、図１に示したように、船体の先端部分である船首部２と、複数のコンテナ３１を積載可能な貨物区３と、上甲板４の縁部に略垂直に配置された風防体５と、を備えている。なお、図１において、一点鎖線Ｍは船体中央部を意味しており、説明の便宜上、船体中央部より後方側の図は省略してある。
【００２３】
貨物区３の一部には居住区３２が配置されていてもよい。なお、居住区３２は、船体中央部より後方側に配置されていてもよい。図１に示したコンテナ３１は、満載状態を示している。ここで、貨物区３の船体中央部より前方側に積載されたコンテナ３１のうち、上甲板４から計測した最大コンテナ積載高さをＨａ、最前部のコンテナ積載高さをＨｂ、平均コンテナ積載高さをＨｃと定義する。すなわち、Ｈｃ＝（Ｈａ＋Ｈｂ）／２である。
【００２４】
船首部２における貨物区３よりも前方の上甲板４上には、例えば、図２（Ａ）及び図２（Ｂ）に示したように、フォアマスト２１、係船装置２２等が配置されている。係船装置２２は、例えば、ムアリングウィンチ、ウィンドラス等を含む趣旨である。なお、図２（Ａ）において、説明の便宜上、風防体５内の係船装置２２の図は省略してある。
【００２５】
風防体５は、船首部２の左舷側から右舷側に渡って配置された鋼板である。風防体５は、例えば、図２（Ａ）に示したように、最前列のコンテナ３１又は最前列のラッシングブリッジ３３よりも前方で略一定の高さを有している。なお、風防体５の両端部は、上甲板４の高さまで漸減するように形成されていてもよい。漸減部は、曲線的であってもよいし、直線的であってもよい。また、風防体５の上甲板４からの高さをＨｗと定義する。なお、風防体５の素材は、鋼板に限定されるものではなく、他の金属板であってもよいし、樹脂合板であってもよい。
【００２６】
係船装置２２は、岸壁や海底に向かってワイヤロープ等の索体を送り出したり巻き取ったりする必要があることから、図１に示したように、風防体５には係船装置２２の索体を挿通可能な開口部５１が形成されていてもよい。なお、説明の便宜上、図２（Ａ）では開口部５１の図を省略してある。
【００２７】
ここで、図３は、風圧抵抗の解析結果を示す分布図であり、（Ａ）は風向０°の場合、（Ｂ）は風向３０°の場合、を示している。なお、コンテナ船１の進行方向を０°と定義し、進行方向から左舷方向の角度を正（プラス）とし、進行方向から右舷方向の角度を負（マイナス）と定義している。
【００２８】
なお、図３（Ａ）及び図３（Ｂ）に示した解析結果は、風防体５なし、満載状態、風速（相対速度）１０ｍ／ｓの条件でシミュレーションした結果を示している。
【００２９】
図３（Ａ）に示したように、コンテナ船１が正面から風を受けた場合、すなわち、風向０°の場合、最前列に積載されたコンテナ３１の正面の上部における風圧抵抗が高くなる傾向にある。
【００３０】
一方、図３（Ｂ）に示したように、コンテナ船１が斜め方向から風を受けた場合、例えば、風向＋３０°の場合、最前列に積載されたコンテナ３１の正面の左舷側部分における風圧抵抗が高くなる傾向にある。また、風向＋３０°の場合、最前列に積載されたコンテナ３１の正面の上部における風圧抵抗は、風向０°の場合よりも低くなっていることが理解できる。
【００３１】
なお、図３（Ｂ）では、コンテナ船１が斜め方向から風を受けた場合の一例として、風向＋３０°の場合を図示しているが、風向±１０〜±６０°の範囲においても同様の傾向を示すものと考えられる。
【００３２】
従来のコンテナ船における風防構造は、コンテナ船１が正面から風を受けた場合、すなわち、風向０°の場合を想定していることから、最前列に積載されたコンテナ３１の正面の上部における風圧抵抗を低減させることに注力している。したがって、従来のコンテナ船では、風防構造が高く形成されたり、風を整流させるためにカウル形状に形成されたりすることが多い。かかる従来のコンテナ船では、風防構造が大型化及び重量化しやすく、コンテナ積載効率及び燃費の低下を誘引することとなる。
【００３３】
しかしながら、自然風の発生確率を考慮すれば、航行中において、コンテナ船１が正面から風を受ける割合よりも、コンテナ船１が斜め方向から風を受ける割合の方が多いことが推察される。また、コンテナ船１は、航行中において、常に満載状態であるわけではなく、それに満たない積載状態（例えば、半載状態）であることも多い。してみれば、満載状態かつ風向０°を想定して風防を設計した場合には、風防構造が過剰設計になることは明らかである。
【００３４】
そこで、本実施形態におけるコンテナ船１では、風向を進行方向に対して±１０〜±６０°の範囲に設定し、コンテナ船１の満載状態及び半載状態の風圧抵抗の低減率を計算し、計算された低減率を参照して風防体５の高さを設定するようにしている。
【００３５】
なお、本実施形態において、「半載状態」とは、船体中央部より前方側に積載されたコンテナ３１のうち、上甲板４から計測した平均コンテナ積載高さが満載状態の平均コンテナ積載高さＨｃの約半分の値であり、船体中央部より前方側に積載されたコンテナ３１が平均コンテナ積載高さＨｃに近い範囲で略均等に積載された状態を意味している。
【００３６】
いま、風向＋３０°、風速（相対速度）１０ｍ／ｓの条件で風防体５の高さＨｗを変えながら満載状態及び半載状態における風圧抵抗を計算した結果を表１、図４（Ａ）及び図４（Ｂ）に示す。ここで、図４は、風防体の高さに関する解析結果を示す図であり、（Ａ）は風防体の高さと風圧抵抗の低減率との関係、（Ｂ）はＨｗ／Ｈｃと風圧抵抗の低減率との関係、を示している。
【００３７】
【表１】
0006892954.tif 000002
【００３８】
表１に示した風圧抵抗の数値は、風防体５の高さが１ｍの場合における風圧抵抗を１００とした場合の相対的な数値である。また、表１に示した風圧抵抗の低減率は、風防体５の高さＨｗが１ｍの場合の風圧抵抗を基準として風圧抵抗が低減した割合を計算したものである。また、風圧抵抗が低減した場合を負の値（マイナス値）で表現し、風圧抵抗が増加した場合を正の値（プラス値）で表現するものとする。
【００３９】
表１に示したように、風防体５の高さＨｗが５ｍの場合における満載状態の風圧抵抗の低減率は−６％であった。また、風防体５の高さＨｗが１０ｍの場合における満載状態の風圧抵抗の低減率は−１１％、風防体５の高さＨｗが１５ｍの場合における満載状態の風圧抵抗の低減率は−１１％、風防体５の高さＨｗが２０ｍの場合における満載状態の風圧抵抗の低減率は−９％、であった。
【００４０】
また、風防体５の高さＨｗが５ｍの場合における半載状態の風圧抵抗の低減率は−９％、風防体５の高さＨｗが１０ｍの場合における半載状態の風圧抵抗の低減率は−１０％、風防体５の高さＨｗが１５ｍの場合における半載状態の風圧抵抗の低減率は−１０％、風防体５の高さＨｗが２０ｍの場合における半載状態の風圧抵抗の低減率は−２％、であった。
【００４１】
この解析結果を図示したものが図４（Ａ）であり、満載状態の解析結果を実線で図示し、半載状態の解析結果を点線で図示してある。ここで、風圧抵抗の低減率が−５％の場合を一つの指標とすれば、風防体５の高さＨｗは５〜１８ｍの範囲に設定することができる。また、風圧抵抗の低減率が−１０％の場合を一つの指標とすれば、風防体５の高さＨｗは１０〜１５ｍの範囲に設定することができる。
【００４２】
また、コンテナ３１の積載高さは、コンテナ船１の大きさや型式等によって異なることから、風防体５の高さＨｗはコンテナ３１の積載高さに基づいて設定することもできる。本実施形態に係る船首構造の設計方法では、コンテナ船１の平均コンテナ積載高さＨｃを算出し、風防体５の高さＨｗを平均コンテナ積載高さＨｃに対する比率により設定するようにしている。
【００４３】
ここで、図４（Ｂ）は、風防体５の高さＨｗを平均コンテナ積載高さＨｃに対する比率（Ｈｗ／Ｈｃ）を用いて、図４（Ａ）を書き直したものである。なお、この解析における平均コンテナ積載高さＨｃは２７．６ｍである。
【００４４】
図４（Ｂ）において、風圧抵抗の低減率が−５％の場合を一つの指標とすれば、Ｈｗ／Ｈｃは０．１８〜０．６５の範囲に設定することができる。また、風圧抵抗の低減率が−１０％の場合を一つの指標とすれば、Ｈｗ／Ｈｃは０．３５〜０．５５の範囲に設定することができる。
【００４５】
上述した本実施形態に係るコンテナ船１及びその船首構造によれば、コンテナ３１の積載状態及び風向を考慮して、風防体５の高さを設定したことにより、風圧抵抗を低減しつつ風防構造の小型化及び軽量化を図ることができる。
【００４６】
次に、本発明の第二実施形態に係るコンテナ船１について、図５〜図６（Ｃ）を参照しつつ説明する。ここで、図５は、本発明の第二実施形態に係るコンテナ船の一部を示す側面図である。図６は、図５に示したコンテナ船の船首部を示す図であり、（Ａ）は側面図、（Ｂ）は図６（Ａ）におけるＢ矢視断面図、（Ｃ）は図６（Ａ）におけるＣ矢視断面図、である。なお、上述した第一実施形態と同じ構成部品については、同じ符号を付して重複した説明を省略する。
【００４７】
図５〜図６（Ｃ）に示した第二実施形態は、上甲板４の風防体５により囲まれた部分に追加コンテナ６を積載可能な支持部７を配置したものである。船首部２の上甲板４には係船装置２２が配置されていることから、追加コンテナ６を積載するには係船装置２２との干渉を回避する必要がある。
【００４８】
そこで、第二実施形態では、支持部７として、上甲板４の風防体５により囲まれた部分に追加甲板７１を配置している。追加甲板７１は、例えば、風防体５の内側に溶接された鋼板である。また、追加甲板７１を脚部と天板部とにより構成し、天板部の上に風防体５を溶接するようにしてもよい。この場合、風防体５の高さＨｗは、追加甲板７１の脚部の長さを含むものとする。
【００４９】
図６（Ａ）に示したように、追加甲板７１の上にフォアマスト２１が配置される。また、図６（Ｂ）に示したように、追加甲板７１の下に係船装置２２が配置される。また、図示しないが、追加甲板７１上には追加コンテナ６を積載及び固縛するための装置等が配置される。
【００５０】
上述した第二実施形態にかかるコンテナ船１によれば、追加甲板７１上に追加コンテナ６を積載可能な空間を形成することができ、コンテナ船１の積載効率の向上を図ることができる。また、風防体５は、上述した第一実施形態と同じ構造であることから、風圧抵抗を低減しつつ風防構造の小型化及び軽量化を図ることもできる。
【００５１】
また、支持部７は、例えば、図７（Ａ）及び図７（Ｂ）に示したように、複数の支柱７２により構成してもよい。ここで、図７は、図５に示したコンテナ船の変形例を示す図であり、（Ａ）は側面図、（Ｂ）は平面図、である。
【００５２】
支持部７を支柱構造にすることにより、支持部７の軽量化を図ることができる。このとき、支柱７２が係船装置２２と干渉しないように、係船装置２２の位置をずらしたり、支柱７２の形状を変形させたりする必要がある。図７（Ｂ）では、係船装置２２の位置をずらした場合を図示してある。
【００５３】
ところで、本実施形態に係るコンテナ船１は、風圧抵抗を低減することを一つの目的としていることから、追加コンテナ６の積載高さ（段数）についても検討する必要がある。ここで、図８は、追加コンテナの積載高さに関する解析結果を示す図であり、（Ａ）は追加コンテナの積載高さと風圧抵抗の低減率との関係、（Ｂ）はＨｘ／Ｈｂと風圧抵抗の低減率との関係、（Ｃ）はＨｘ／Ｈｗと風圧抵抗の低減率との関係、を示している。なお、図５に示したように、追加コンテナ６の上甲板４からの積載高さをＨｘと定義している。
【００５４】
いま、風向＋３０°、風速（相対速度）１０ｍ／ｓ、風防体５の高さＨｗ１０ｍの条件で追加コンテナ６の積載高さ（段数）を変えながら満載状態及び半載状態における風圧抵抗を計算した結果を表２、図８（Ａ）〜図８（Ｃ）に示す。なお、満載状態及び半載状態は、貨物区３に積載されたコンテナ３１の積載状態を示している。
【００５５】
【表２】
0006892954.tif 000003
【００５６】
表２に示したように、追加コンテナ６の積載高さＨｘが０段の場合、単に１０ｍの風防体５を設置した状態であることから、風圧抵抗及びその低減率は、表１に示した風防体５の高さＨｗが１０ｍの場合における数値と同じ結果となる。なお、表２に示した風圧抵抗及び低減率の数値は、表１と同様に、風防体５の高さＨｗが１ｍの場合の風圧抵抗を基準にして算出したものである。
【００５７】
表２に示したＨｘ／Ｈｗは、追加コンテナ６の積載高さＨｘの風防体５の高さＨｗ（１０ｍ）に対する相対的な数値を示したものである。したがって、Ｈｘ／Ｈｗ＞１の場合は、追加コンテナ６の積載高さＨｘが風防体５の高さＨｗ（１０ｍ）を超えていることを意味している。なお、追加コンテナ６の積載高さＨｘが０段の場合における高さは、支持部７における追加コンテナ６の載置面の上甲板４からの高さを意味している。
【００５８】
表２に示したＨｘ／Ｈｂは、追加コンテナ６の積載高さＨｘの最前部のコンテナ積載高さＨｂに対する相対的な数値を示したものである。したがって、Ｈｘ／Ｈｂ＞１の場合は、追加コンテナ６の積載高さＨｘが最前部のコンテナ積載高さＨｂを超えていることを意味している。なお、ここでは、満載状態における最前部のコンテナ積載高さＨｂを２４ｍとし、半載状態における最前部のコンテナ積載高さＨｂを１６．１７ｍとしている。
【００５９】
表２に示したように、追加コンテナ６の積載高さＨｘが２段の場合における満載状態の風圧抵抗の低減率は−１０％、追加コンテナ６の積載高さＨｘが３段の場合における満載状態の風圧抵抗の低減率は−１１％、追加コンテナ６の積載高さＨｘが４段の場合における満載状態の風圧抵抗の低減率は−１２％、追加コンテナ６の積載高さＨｘが５段の場合における満載状態の風圧抵抗の低減率は−１２％、追加コンテナ６の積載高さＨｘが６段の場合における満載状態の風圧抵抗の低減率は−１０％、追加コンテナ６の積載高さＨｘが７段の場合における満載状態の風圧抵抗の低減率は−７％、追加コンテナ６の積載高さＨｘが８段の場合における満載状態の風圧抵抗の低減率は−３％、であった。
【００６０】
また、追加コンテナ６の積載高さＨｘが３段の場合における半載状態の風圧抵抗の低減率は−９％、追加コンテナ６の積載高さＨｘが４段の場合における半載状態の風圧抵抗の低減率は−８％、追加コンテナ６の積載高さＨｘが５段の場合における半載状態の風圧抵抗の低減率は−１％、であり、追加コンテナ６の積載高さＨｘが７段の場合における半状態の風圧抵抗の低減率は＋８％であった。なお、半載状態では、追加コンテナ６の積載高さＨｘが２段，６段及び８段の場合における風圧抵抗及びその低減率の計算を省略してある。
【００６１】
この解析結果を図示したものが図８（Ａ）及び図８（Ｂ）であり、満載状態の解析結果を実線で図示し、半載状態の解析結果を点線で図示してある。図８（Ａ）は、追加コンテナ６の積載高さ（段数）を横軸、風圧抵抗の低減率を縦軸として表示したものである。また、図８（Ｂ）は、Ｈｘ／Ｈｂを横軸、風圧抵抗の低減率を縦軸として図８（Ａ）を書き直したものである。
【００６２】
図示したように、満載状態の場合も半載状態の場合も、追加コンテナ６の積載高さＨｘが最前部のコンテナ積載高さＨｂを超える（Ｈｘ／Ｈｂ＞１）ことによって風圧抵抗の低減値が悪化することがわかる。ここで、風圧抵抗の低減率が−５％の場合を一つの指標とすれば、追加コンテナ６の積載高さＨｘは、貨物区３の最前部のコンテナ積載高さＨｂを超えないように設定することができる。
【００６３】
また、追加コンテナ６の積載高さＨｘは、追加コンテナ６の大きさ、風防体５の高さＨｗ等によって異なることから、追加コンテナ６の積載高さＨｘ（段数）は風防体５の高さＨｗに基づいて設定することもできる。
【００６４】
ここで、図８（Ｃ）は、追加コンテナ６の積載高さＨｘを風防体５の高さＨｗに対する比率（Ｈｘ／Ｈｗ）を用いて図８（Ａ）を書き直したものである。図８（Ｃ）において、風圧抵抗の低減率が−５％の場合を一つの指標とすれば、Ｈｘ／Ｈｗは１．７以下に設定することができる。
【００６５】
上述した第二実施形態において、支持部７が追加甲板７１又は支柱７２により構成される場合について説明したが、これらの構成に限定されるものではない。支持部７は、追加コンテナ６を積載することができ、係船装置２２との干渉を回避することができるように構成されていれば、図示した構成以外の構成であってもよい。
【００６６】
本発明は上述した実施形態に限定されず、本発明の趣旨を逸脱しない範囲で種々変更が可能であることは勿論である。
【符号の説明】
【００６７】
１  コンテナ船
２  船首部
３  貨物区
４  上甲板
５  風防体
６  追加コンテナ
７  支持部
２１  フォアマスト
２２  係船装置
３１  コンテナ
３２  居住区
３３  ラッシングブリッジ
５１  開口部
７１  追加甲板
７２  支柱
【要約】
【課題】風圧抵抗を低減しつつ風防構造の小型化及び軽量化を図ることができる、コンテナ船の船首構造、コンテナ船及びコンテナ船の船首構造の設計方法を提供する。
【解決手段】コンテナ船１は、船体の先端部分である船首部２と、複数のコンテナ３１を積載可能な貨物区３と、上甲板４の縁部に略垂直に配置された風防体５と、を備えている。また、コンテナ船１は、風向を進行方向に対して±１０〜±６０°の範囲に設定し、コンテナ船１の満載状態及び半載状態の風圧抵抗の低減率を計算し、計算された低減率を参照して風防体５の高さを設定している。風防体５の高さＨｗは、例えば、５〜１８ｍの範囲又は平均コンテナ積載高さＨｃに対して０．１８〜０．６５倍の範囲に設定される。
【選択図】図１【図１】
0006892954.tif 000004
【図２】
0006892954.tif 000005
【図３】
0006892954.tif 000006
【図４】
0006892954.tif 000007
【図５】
0006892954.tif 000008
【図６】
0006892954.tif 000009
【図７】
0006892954.tif 000010
【図８】
0006892954.tif 000011